(57)【要約】【課題】二側に拡張スロットを具えたライザーカード装置の提供。【解決手段】ライザーカードがサポートフレームに垂直に組み付けられ、並びにコンピュータ装置のマザーボードのスロット内に対応し挿入され、且つライザーカードの相互に対応する両側面に拡張スロットが設けられ、各拡張スロットにインタフェースカードを挿入可能で、各インタフェースカードは水平挿入方式とされ十分にコンピュータ装置のシャーシ内の空間を利用し、即ちシャーシの有限で狭い空間内に複数のインタフェースカードスロットを収容でき、インタフェースカードの数量と使用上の便利性を増す。このほ、本発明はサポートフレームがシャーシに組み付けられて構造の一部分とされ得て、これにより全体の構造の安定性を増すことができる。【選択図】        図３
2005011158.tif 000002
【特許請求の範囲】
【請求項１】
二側に拡張スロットを具えたライザーカード装置において、該ライザーカード装置は、シャーシと該シャーシに組み付けられると共に上方に垂直に少なくとも一つのスロットが設けられたマザーボードとを具えたコンピュータ装置内に組み付けられ、該ライザーカード装置が一つのスロットに対応すると共に、
サポートフレームと、
該サポートフレームに垂直に組み付けられると共に該マザーボードのスロットに対応し挿入されるライザーカードと、
該ライザーカードの相互に対応する二側面に組み付けられ、開口方向がマザーボードに平行とされた少なくとも二つの拡張スロットと、
を具えたことを特徴とする、二側に拡張スロットを具えたライザーカード装置。
【請求項２】
請求項１記載の二側に拡張スロットを具えたライザーカード装置において、前記拡張スロットが長形アダプタの挿入に供されるロングカードスロットを具えたことを特徴とする、二側に拡張スロットを具えたライザーカード装置。
【請求項３】
請求項２記載の二側に拡張スロットを具えたライザーカード装置において、サポートフレームの一端に側方向にロングサイドフレームが延設され、長形アダプタが該ロングサイドフレームにネジ止めされるロングカードカバーを具えたことを特徴とする、二側に拡張スロットを具えたライザーカード装置。
【請求項４】
請求項１記載の二側に拡張スロットを具えたライザーカード装置において、前記拡張スロットが短形アダプタの挿入に供されるショートカードスロットを具えたことを特徴とする、二側に拡張スロットを具えたライザーカード装置。
【請求項５】
請求項４記載の二側に拡張スロットを具えたライザーカード装置において、サポートフレームの一端に側方向にショートサイドフレームが延設され、短形アダプタが該ショートサイドフレームにネジ止めされるショートカードカバーを具えたことを特徴とする、二側に拡張スロットを具えたライザーカード装置。
【請求項６】
請求項１記載の二側に拡張スロットを具えたライザーカード装置において、サポートフレームに二つのネジ止めシートが形成され、ライザーカードに該ネジ止めシートに対応する二つのネジ止め孔が設けられ、二つのネジで該ネジ止め孔がネジ止めシートに固定されてライザーカードがサポートフレームに垂直に固定されることを特徴とする、二側に拡張スロットを具えたライザーカード装置。
【請求項７】
請求項１記載の二側に拡張スロットを具えたライザーカード装置において、サポートフレームに複数の穿孔が設けられ、シャーシに穿孔の数に対応する数のネジ孔が設けられ、複数のネジでこの穿孔がネジ孔に固定されてサポートフレームがシャーシに組み付けられることを特徴とする、二側に拡張スロットを具えたライザーカード装置。
【発明の詳細な説明】
【０００１】
【発明の属する技術分野】
本発明は一種の二側に拡張スロットを具えたライザーカード装置に係り、特に矮小なシャーシを具えたパーソナルコンピュータ、サーバー等コンピュータ装置に適用される二側に拡張スロットを具えたライザーカード装置に関する。
【０００２】
【従来の技術】
一般にコンピュータ装置のマザーボードには、異なる或いは多様化した使用要求によりマザーボードに複数のインタフェースカードを挿入するスロットを設けなければならない。しかし、一般にコンピュータ装置のシャーシは空間に制限があり、１Ｕサーバーを例に挙げると、そのシャーシは矮小で、このためシャーシとマザーボードの間の空間に一般のインタフェースカードを収容できず、且つインタフェースカード自身もまた高さの制限を有するため、重畳させる場合は高度の干渉の問題を考慮しなければならない。このため実行可能な方式としてサーバーのシャーシの高さを増す方法があるが、これはサーバーの体積を膨大としその重量を増し、小型化の訴求を達成できなくする。
【０００３】
このためいかにシャーシの有限で狭い空間内に複数のインタフェースカードを挿入するスロットを設けるかが、解決すべき問題となる。
【０００４】
【発明が解決しようとする課題】
本発明の主要な目的は、一種の、二側に拡張スロットを具えたライザーカード装置を提供することにあり、それはシャーシの有限で狭い空間内に複数のインタフェースカードスロットを収容でき、インタフェースカード使用の数量を増すことができるライザーカード装置であるものとする。
【０００５】
本発明のもう一つの目的は、一種の、二側に拡張スロットを具えたライザーカード装置を提供することにあり、それは、サポートフレームがシャーシの一部を形成し、構造の安定性を増したライザーカード装置であるものとする。
【０００６】
【課題を解決するための手段】
請求項１の発明は、二側に拡張スロットを具えたライザーカード装置において、該ライザーカード装置は、シャーシと該シャーシに組み付けられると共に上方に垂直に少なくとも一つのスロットが設けられたマザーボードとを具えたコンピュータ装置内に組み付けられ、該ライザーカード装置が一つのスロットに対応すると共に、
サポートフレームと、
該サポートフレームに垂直に組み付けられると共に該マザーボードのスロットに対応し挿入されるライザーカードと、
該ライザーカードの相互に対応する二側面に組み付けられ、開口方向がマザーボードに平行とされた少なくとも二つの拡張スロットと、
を具えたことを特徴とする、二側に拡張スロットを具えたライザーカード装置としている。
請求項２の発明は、請求項１記載の二側に拡張スロットを具えたライザーカード装置において、前記拡張スロットが長形アダプタの挿入に供されるロングカードスロットを具えたことを特徴とする、二側に拡張スロットを具えたライザーカード装置としている。
請求項３の発明は、請求項２記載の二側に拡張スロットを具えたライザーカード装置において、サポートフレームの一端に側方向にロングサイドフレームが延設され、長形アダプタが該ロングサイドフレームにネジ止めされるロングカードカバーを具えたことを特徴とする、二側に拡張スロットを具えたライザーカード装置としている。
請求項４の発明は、請求項１記載の二側に拡張スロットを具えたライザーカード装置において、前記拡張スロットが短形アダプタの挿入に供されるショートカードスロットを具えたことを特徴とする、二側に拡張スロットを具えたライザーカード装置としている。
請求項５の発明は、請求項４記載の二側に拡張スロットを具えたライザーカード装置において、サポートフレームの一端に側方向にショートサイドフレームが延設され、短形アダプタが該ショートサイドフレームにネジ止めされるショートカードカバーを具えたことを特徴とする、二側に拡張スロットを具えたライザーカード装置としている。
請求項６の発明は、請求項１記載の二側に拡張スロットを具えたライザーカード装置において、サポートフレームに二つのネジ止めシートが形成され、ライザーカードに該ネジ止めシートに対応する二つのネジ止め孔が設けられ、二つのネジで該ネジ止め孔がネジ止めシートに固定されてライザーカードがサポートフレームに垂直に固定されることを特徴とする、二側に拡張スロットを具えたライザーカード装置としている。
請求項７の発明は、請求項１記載の二側に拡張スロットを具えたライザーカード装置において、サポートフレームに複数の穿孔が設けられ、シャーシに穿孔の数に対応する数のネジ孔が設けられ、複数のネジでこの穿孔がネジ孔に固定されてサポートフレームがシャーシに組み付けられることを特徴とする、二側に拡張スロットを具えたライザーカード装置としている。
【０００７】
【発明の実施の形態】
本発明の二側に拡張スロットを具えたライザーカード装置は、コンピュータ装置内に設けられ、このコンピュータ装置はシャーシ（Ｃａｓｓｉｓ）、及びマザーボードを具え、そのうちマザーボードはシャーシに組み付けられ、且つマザーボードの上方に少なくとも一つのスロットが垂直に設けられている。
【０００８】
このほか、本発明の二側に拡張スロットを具えたライザーカード装置はマザーボードのスロットに対応し、且つ該ライザーカード装置はサポートフレーム、ライザーカード、及び少なくとも二つの拡張スロットを具えている。そのうち、ライザーカードは垂直にサポートフレームに組み付けられ、並びに上述のマザーボードのスロットに対応し挿入され、二つの拡張スロットはそれぞれライザーカードの相互に対応する両側面に設けられ、各拡張スロットの開口方向上述のマザーボードに平行とされる。
【０００９】
これにより、ライザーカードの両側面の各拡張スロットにインタフェースカードを挿入可能で、且つ各インタフェースカードが水平挿入方式を呈し並びに十分にシャーシ内の空間を利用でき、即ち本発明はシャーシの有限で狭い空間内に複数のインタフェースカードスロットを設置でき、インタフェースカードの数量及び使用上の便利性を増すことができる。
【００１０】
このほか、上述のサポートフレームに複数の穿孔が銅蹴られ、シャーシに対応数量の複数のネジ孔が設けられ、各ネジ孔がそれぞれ一つの穿孔に対応し、且つ複数のネジにより各穿孔がネジ孔に固定され、こうしてサポートフレームがシャーシに組み付けられ、サポートフレームがシャーシの構造の一部分とされ、これにより全体構造の安定性が増されている。
【００１１】
【実施例】
図１は本発明をコンピュータ装置に応用した組合せ斜視図であり、それはコンピュータ装置９を示し、本実施例中、それは扁平状のサーバーとされ、このコンピュータ装置９はシャーシ９１及びマザーボード９２を具え、図２の本発明をコンピュータ装置に応用した分解斜視図も参照されたいが、該マザーボード９２はシャーシ９１に組み付けられ、且つマザーボード９２に垂直にスロット９２１が設けられている。
【００１２】
図１、２及び図３の本発明の分解斜視図、及び図４の本発明の別角度から観た分解斜視図を参照されたい。本発明の二側に拡張スロットを具えたライザーカード装置は、マザーボード９２のスロット９２１に対応し、且つこのライザーカード装置はサポートフレーム１、ライザーカード２、ロングカードスロット３１及びショートカードスロット３２を具えている。そのうち、サポートフレーム１はコンピュータ装置９のシャーシ９１に組み付けられ、即ちサポートフレーム１に複数の穿孔１０３が形成され、シャーシ９１に対応数量のネジ孔９１１が形成され、各ネジ孔９１１がサポートフレームの穿孔１０３に対応し、複数のネジ５２で穿孔１０３がネジ孔９１１に固定され、これによりサポートフレーム１がシャーシ９１に組み付けられる。サポートフレーム１は直接シャーシ９１に組み付けられるため、サポートフレーム１がシャーシ９１構造の一部分を形成し、これにより全体構造の安定性が増加される。
【００１３】
このほか、図中に示されるライザーカード２は、垂直に上述のサポートフレーム１に組み付けられ、即ちライザーカード２に二つのネジ止め孔２０１、２０２が設けられ、且つサポートフレーム１に該ネジ止め孔２０１、２０２に対応する二つのネジ止めシート１０１、１０２が設けられ、二つのネジ５１で該ネジ止め孔２０１、２０２がネジ止めシート１０１、１０２に固定され、こうしてライザーカード２が垂直にサポートフレーム１に固定される。このほかライザーカード２が上述のコンピュータ装置９のマザーボード９２のスロット９２１内に対応し挿入され、且つロングカードスロット３１とショートカードスロット３２がそれぞれこのライザーカード２の相互に対応する二つの側面２１、２２に組み付けられ、ロングカードスロット３１とショートカードスロット３２の開口３１１、３２１の方向がそれぞれ上述のマザーボード９２に平行とされる。
【００１４】
また図中に示されるように、長形アダプタ４１（Ｌｏｎｇ  Ｐｒｏｆｉｌｅ
Ａｄａｐｔｅｒ）は、上述のロングカードスロット３１に対応し挿入され、及び短形アダプタ４２（Ｌｏｗ  Ｐｒｏｆｉｌｅ  Ａｄａｐｔｅｒ）は上述のショートカードスロット３２に対応し挿入される。
【００１５】
これにより、各インタフェースカード（長形アダプタ４１及び短形アダプタ４２）は水平方式で拡張スロット（ロングカードスロット３１及びショートカードスロット３２）に挿入され、こうして十分にコンピュータ装置９のシャーシ９１内の空間を利用でき（図１参照）、即ちシャーシ９１の有限及び狭い空間内に複数のインタフェースカード用の拡張スロットを設けることができ、インタフェースカード数量と使用上の便利性を増すことができる。
【００１６】
図５は本発明の別角度から観た斜視図である。該図に示されるように、上述のサポートフレーム１の一端に側方向にロングサイドフレーム１１が延設され、もう一端に側方向にショートサイドフレーム１２が延設され、且つ上述の長形アダプタ４１のロングカードカバー４１１がネジ５３でロングサイドフレーム１１に固定され、短形アダプタ４２のショートカードカバー４２１がネジ５３でショートサイドフレーム１２に固定される。本実施例では、短形アダプタ４２のショートカードカバー４２１が長形アダプタ４１のロングカードカバー４１１の外側に重畳され、これは良好な組み付け方式とされ、その理由は、ロングカードカバー４１１とショートカードカバー４２１のいずれにも連接ポート用の開孔４１２、４２２が開設され、且つインタフェースカードの設計関係により、もし長形アダプタ４１のロングカードカバー４１１が短形アダプタ４２のショートカードカバー４２１の外側に重畳されると、ロングカードカバー４１１がショートカードカバー４２１の開孔４２２を被覆する状況が容易に発生し、その反対であればこのような被覆の問題が発生しないことにある。また、ロングカードカバー４１１とショートカードカバー４２１が重畳されて一体とされる設計方式は使用空間を節約でき、並びに電磁干渉の連続性を防止できる。
【００１７】
以上の実施例は本発明の実施範囲を限定するものではなく、本発明に基づきなしうる細部の修飾或いは改変は、いずれも本発明の請求範囲に属するものとする。
【００１８】
【発明の効果】
本発明の二側に拡張スロットを具えたライザーカード装置は、ライザーカードがサポートフレームに垂直に組み付けられ、並びにコンピュータ装置のマザーボードのスロット内に対応し挿入され、且つライザーカードの相互に対応する両側面に拡張スロットが設けられ、各拡張スロットにインタフェースカードを挿入可能で、各インタフェースカードは水平挿入方式とされ十分にコンピュータ装置のシャーシ内の空間を利用し、即ちシャーシの有限で狭い空間内に複数のインタフェースカードスロットを収容でき、インタフェースカードの数量と使用上の便利性を増す。このほか、本発明はサポートフレームがシャーシに組み付けられて構造の一部分とされ得て、これにより全体の構造の安定性を増すことができる。
【図面の簡単な説明】
【図１】本発明がコンピュータ装置に応用された組合せ斜視図である。
【図２】本発明がコンピュータ装置に応用された分解斜視図である。
【図３】本発明の分解斜視図である。
【図４】本発明の別角度から観た分解斜視図である。
【図５】本発明の別角度から観た組合せ斜視図である。
【符号の説明】
１  サポートフレーム          １０１、１０２  ネジ止めシート
１０３  穿孔                  １１  ロングサイドフレーム
１２  ショートサイドフレーム  ２  ライザーカード
２０１、２０２  ネジ止め孔    ２１、２２  側面
３１  ロングカードスロット    ３２  ショートカードスロット
３１１、３２１  開口          ４１  長形アダプタ
４１１  ロングカードカバー    ４２  短形アダプタ
４２１  ショートカードカバー  ４１２、４２２  開孔
５１、５２、５３  ネジ        ９  コンピュータ装置
９１  シャーシ                ９１１  ネジ孔
９２  マザーボード            ９２１  スロット
【図１】
2005011158.tif 000003
【図２】
2005011158.tif 000004
【図３】
2005011158.tif 000005
【図４】
2005011158.tif 000006
【図５】
2005011158.tif 000007